(57)【要約】【課題】鶏の飼育環境と、作業者の作業環境とをともに向上させ、高品質の卵を生産できる鶏舎及びこれを用いた養鶏方法、を提供する。【解決手段】網状の底面２と、網状の底面２の側面を囲う側面３、４、５、６と、側面３、４、５、６により形成される上方の開口部を覆う天面７とを備え、天面７には、開口量の調節が可能な、換気口１４・・・が設けられている。【選択図】図１
2006325508.tif 000002
【特許請求の範囲】
【請求項１】
網状の底面と、
前記網状の底面の側面を囲う側面と、
前記側面により形成される上方の開口部を覆う天面とを備え、
前記天面には、開口量の調節が可能な、換気口が設けられている、飼育小屋。
【請求項２】
前記側面の中、前面の下方位置には、卵を取り出すために開閉可能に設けられた扉が設けられ、
前記網状の底面が、前記側面の中、背面から前記前面に向かって、下方に傾斜するように設けられている、請求項１に記載の飼育小屋。
【請求項３】
前記側面の中、前記前面の内側に、台を備え、
前記台が、下方に、その前方から後方にかけて貫通する、貫通孔を有している、請求項２に記載の飼育小屋。
【請求項４】
前記網状の底面を、前記側面の中、前記前面側から取り出しできるようにした、請求項１〜３のいずれかに記載の飼育小屋。
【請求項５】
前記網状の底面の下方に糞受け板を更に備え、
前記網状の底面と前記糞受け板とにより形成される空間に、換気口を設けた、請求項１〜４のいずれかに記載の飼育小屋。
【請求項６】
前記糞受け板を、前記側面の中、前記前面側から取り出しできるようにした、請求項５に記載の飼育小屋。
【請求項７】
前記網状の底面、前記側面及び前記天面により形成される空間内にヒータ手段を備え、且つ、前記ヒータ手段を使用する際には、前記ヒータ手段を前記網状の底面上に載置し、
前記ヒータ手段を使用しない際は、前記ヒータ手段を天面側に移動できるようにした、請求項１〜６のいずれかに記載の飼育小屋。
【請求項８】
前記側面に、透明な材料で製された板材を取り付けることができるようにした、請求項１〜７のいずれかに記載の飼育小屋。
【請求項９】
前記天面の上部に、屋外屋根を着脱自在に取り付けられるようにした、請求項１〜８のいずれかに記載の飼育小屋。
【請求項１０】
請求項１〜８のいずれかに記載の飼育小屋を複数個収容する鶏舎であって、
前記鶏舎の上方位置に、前記鶏舎内の空気を大気中へ排出する換気手段を備える、鶏舎。
【発明の詳細な説明】
【技術分野】
【０００１】
本発明は、家禽類用の飼育小屋及び鶏舎に関し、特に、烏骨鶏のように飼育が困難な家禽類の飼育に適した、飼育小屋及び鶏舎に関する。
【背景技術】
【０００２】
鶏その他の家禽類の飼育方法（養鶏方法）には、大きく分けて、「ケージ飼育」と、「平飼い」との２つの方法がある。
【０００３】
「ケージ飼育」（ｃａｇｅ  ｈｏｕｓｉｎｇ）は、数万羽の鶏を鶏舎内に設置しているケージに１羽ずつ仕切って飼い、ケージには、飼料（エサ）を自動搬送する装置が設置してあるものや、産まれた卵を自動的に集めるコンベヤを設置したもの等があり、大量生産に適した方法である、とされている。
【０００４】
一方、「平飼い」は、鶏をケージに入れず、鶏舎内を自由に動き回れるようにして飼う方法であり、鶏は産卵用巣箱の中で卵を産む。
【０００５】
一般に、平飼いは、ケージ飼育に比べ、良質な卵が得られるため、近年のグルメブーム、健康食指向で注目されている。
【０００６】
また、平飼いは、ケージ飼育に比べて、産まれた卵をすぐに隔離することができるので、汚れや傷が付く前に人手により卵を集めることができる。
【０００７】
しかしながら、烏骨鶏を平飼いした場合、雌が、卵を産まなくなったり、産まれた卵が、烏骨鶏によって食べられてしまったり、又は、弱い烏骨鶏が、強い烏骨鶏によって殺されたりするような場合がある。
【０００８】
更に、烏骨鶏は、ケージ飼育した場合であっても、平飼いした場合であっても、病気にかかって死んでしまう、ということがある。
【特許文献１】特開２００４−５７０３３号公報
【発明の開示】
【発明が解決しようとする課題】
【０００９】
本発明は、以上のような問題を解決するためになされたものであって、特に、烏骨鶏のように飼育が困難な家禽類の複数個体を飼育した場合であっても、弱いものが殺されることがなく、卵を得やすく、そのような家禽類が病気にかかり難い、烏骨鶏のように飼育が困難な家禽類の飼育に適した、飼育小屋を提供することを目的としている。
【課題を解決するための手段】
【００１０】
請求項１に記載の飼育小屋は、網状の底面と、網状の底面の側面を囲う側面と、側面により形成される上方の開口部を覆う天面とを備え、天面には、開口量の調節が可能な、換気口が設けられている。
【００１１】
請求項２に記載の飼育小屋は、請求項１に記載の飼育小屋の、側面の中、前面の下方位置には、卵を取り出すために開閉可能に設けられた扉が設けられ、網状の底面が、側面の中、背面から前面に向かって、下方に傾斜するように設けられている。
【００１２】
請求項３に記載の飼育小屋は、請求項２に記載の飼育小屋が、側面の中、前面の内側に、台を備え、台が、下方に、その前方から後方にかけて貫通する貫通孔を有している。
【００１３】
この台は、その表面に、水つぼや餌入れを設置するようにして使用する。
【００１４】
請求項４に記載の飼育小屋は、請求項１〜３のいずれかに記載の飼育小屋の、網状の底面を、側面の中、前面側から取り出しできるようにした。
【００１５】
請求項５に記載の飼育小屋は、請求項１〜４のいずれかに記載の飼育小屋の、網状の底面の下方に糞受け板を更に備え、網状の底面と糞受け板とにより形成される空間に、換気口を設けた。
【００１６】
請求項６に記載の飼育小屋は、請求項５に記載の飼育小屋の、糞受け板を、側面の中、前面側から取り出しできるようにした。
【００１７】
請求項７に記載の飼育小屋は、請求項１〜６のいずれかに記載の飼育小屋が、網状の底面、側面及び天面により形成される空間内にヒータ手段を備え、且つ、ヒータ手段を使用する際には、ヒータ手段を網状の底面上に載置し、ヒータ手段を使用しない際は、ヒータ手段を天面側に移動できるようにした。
【００１８】
請求項８に記載の飼育小屋は、請求項１〜７のいずれかに記載の飼育小屋の、側面に、透明な材料で製された板材を取り付けることができるようにした。
【００１９】
請求項９に記載の飼育小屋は、請求項１〜８のいずれかに記載の飼育小屋の、天面の上部に、屋外屋根を着脱自在に取り付けられるようにした。
【００２０】
請求項１０に記載の鶏舎は、請求項１〜８のいずれかに記載の飼育小屋を複数個収容する鶏舎であって、鶏舎の上方位置に、鶏舎内の空気を大気中へ排出する換気手段を備える。
【発明の効果】
【００２１】
請求項１に記載の飼育小屋では、天面には、開口量の調節が可能な、換気口を設け、飼育小屋内を流れる気流を下方から上方に流れやすい構成にしている。この結果、この飼育小屋では、空気中の常在菌、カビその他の微生物が、飼育小屋内に飼育されている、烏骨鶏その他の家禽類や、家禽類の餌や水に落下し難い。
【００２２】
この結果、この飼育小屋を使用して、烏骨鶏その他の家禽類を飼育した場合、飼育小屋内に飼育している家禽類が病気にかかって死ぬような事態を低減できる。
【００２３】
請求項２に記載の飼育小屋では、網状の底面が、側面の中、背面から前面に向かって、下方に傾斜するように設け、且つ、前面に、卵を取り出すための扉を設けている。
【００２４】
この飼育小屋では、上記の構成を備えているので、烏骨鶏その他の家禽類が、飼育小屋内で卵を産むと、産み落とされた卵は、網状の底面の傾斜に従って、前面に設けられている、卵を取り出すための扉の所に集まってくる。従って、この飼育小屋を使用すれば、飼育小屋内に、烏骨鶏その他の家禽類が卵を産み落とした場合、産み落とされた卵を、前面に開閉可能に設けられている扉を開いて、容易に、卵を取り出すことができる。
【００２５】
請求項３に記載の飼育小屋では、前面の内側に、下方に、その前方から後方にかけて貫通する、貫通孔を有している台を設置できるようにしている。
【００２６】
従って、この飼育小屋の、前面の内側に、そのような餌入れ又は水入れを設置する台を設ければ、網状の底面の傾斜に従って、前面に設けられている、卵を取り出すための扉の所に集まってきた卵が、台の下方に設けられている、貫通孔内に収容されるので、烏骨鶏その他の家禽類が産み落とした卵が、烏骨鶏その他の家禽類によって食べられてしまう、ということを防ぐことができる。
【００２７】
即ち、この飼育小屋を使用して、烏骨鶏その他の家禽類を飼育すると、烏骨鶏その他の家禽類によって食べられてしまう、ということが防がれた分、卵を多く得ることができる。
【００２８】
請求項４に記載の飼育小屋では、網状の底面を、側面の中、前面側から取り出しできるようにしているので、この飼育小屋を使用して、烏骨鶏その他の家禽類を飼育した場合に、網状の底面が、羽根、羽毛及び糞等で汚れた場合、前面側から網状の底面を、飼育小屋から取り出して、洗うことができる。
【００２９】
この飼育小屋では、このように、網状の底面が、羽根、羽毛及び糞等で汚れた場合、網状の底面を、容易に洗えるので、網状の底面を、常に、清潔に保つことができる。
【００３０】
従って、この飼育小屋を使用して、烏骨鶏その他の家禽類を飼育すれば、烏骨鶏その他の家禽類が病気に罹り難い。
【００３１】
請求項５に記載の飼育小屋では、網状の底面と糞受け板とにより形成される空間に、換気口を設け、糞受け板上の糞等が乾燥した状態になるようにしているので、糞等への細菌やカビ等の繁殖が防止される。
【００３２】
従って、この飼育小屋を使用して、烏骨鶏その他の家禽類を飼育すれば、烏骨鶏その他の家禽類が病気に罹り難い。
【００３３】
請求項６に記載の飼育小屋では、糞受け板を、側面の中、前面側から取り出しできるようにしているので、この飼育小屋を使用して、烏骨鶏その他の家禽類を飼育した場合に、糞受け板が、羽根、羽毛及び糞等で汚れた場合、前面側から糞受け板を、飼育小屋から取り出して、洗うことができる。
【００３４】
この飼育小屋では、このように、糞受け板が、羽根、羽毛及び糞等で汚れた場合、糞受け板を、容易に洗えるので、網状の底面を、常に、清潔に保つことができる。
【００３５】
従って、この飼育小屋を使用して、烏骨鶏その他の家禽類を飼育すれば、烏骨鶏その他の家禽類が病気に罹り難い。
【００３６】
請求項７に記載の飼育小屋には、網状の底面、側面及び天面により形成される空間内に、ヒータ手段を設けられているので、気温が低い日には、ヒータ手段を使用することで、烏骨鶏その他の家禽類を寒さから守ることができる。
【００３７】
のみならず、この飼育小屋では、ヒータ手段を使用する際には、ヒータ手段を網状の底面上に載置するようにしているので、ヒータ手段を使用している間、飼育小屋内の気流を下方から上方に流れやすい構成になっている。この結果、この飼育小屋には、空気中の常在菌、カビその他の微生物が、飼育小屋内に飼育されている、烏骨鶏その他の家禽類や、家禽類の餌や水に落下し難い、という利点がある。
【００３８】
また、この飼育小屋では、ヒータ手段を使用しない際には、ヒータ手段を天面側に移動させることで、飼育小屋内の烏骨鶏その他の家禽類の生活空間を広くでき、且つ、ヒータ手段が羽根、羽毛及び糞等で汚れ難い。
【００３９】
この結果、この飼育小屋を使用して、烏骨鶏その他の家禽類を飼育した場合、これらの家禽類が寒さや病気やストレスによって死ぬような事態を低減できる。
【００４０】
請求項８に記載の飼育小屋は、側面に、透明な材料で製された板材を取り付けることができるようにしている。
【００４１】
側面を網状にした場合、そのような飼育小屋は、通気性に優れたものになる。
【００４２】
しかしながら、強風時には、飼育小屋内に、強風が入ると、烏骨鶏その他の家禽類に大きなストレスを与えることになる。
【００４３】
また、インフルエンザやＳＡＲＳ等が蔓延している際には、野鳥からそのような病気の感染を防ぐ必要がある。
【００４４】
このような場合、この飼育小屋では、側面に、透明な材料で製された板材を取り付けることで、風が飼育小屋内に入るのを遮ることで、飼育小屋内の烏骨鶏その他の家禽類に、大きなストレスが加わることを防いだり、また、インフルエンザウイルスやＳＡＲＳウイルス等が、飼育小屋内に入るのを遮ることで、飼育小屋内の烏骨鶏その他の家禽類が、インフルエンザウイルスやＳＡＲＳウイルス等に感染するのを防いだりすることができる。
【００４５】
この結果、この飼育小屋を使用して、烏骨鶏その他の家禽類を飼育した場合、これらの家禽類が寒さや病気やストレスにかかって死ぬような事態を低減できる。
【００４６】
のみならず、この飼育小屋では、側面に取り付ける板材を透明な材料で製されたものにしているので、側面に、板材を取り付けた後においても、飼育小屋内には、外光が入るので、飼育小屋内を明るくすることができる。
【００４７】
これにより、側面に、板材を取り付けた後においても、飼育小屋内を明るく保つことができるので、飼育小屋内の烏骨鶏その他の家禽類が、卵を産まなくなるようなことが生じ難い。
【００４８】
請求項９に記載の飼育小屋では、天面の上部に、屋外屋根を着脱自在に取り付けられるようにしているので、この飼育小屋は、鶏舎内だけではなく、天面の上部に、飼育小屋内への雨の侵入を防ぐために、屋外屋根を取り付けることで、必要により、この飼育小屋を野外に設置することができる。
【００４９】
請求項１０に記載の鶏舎では、鶏舎の上方位置に、鶏舎内の空気を大気中へ排出する換気手段を備えているので、鶏舎内に、請求項１〜９のいずれかに記載の飼育小屋を複数個収容した後において、換気手段を駆動することで、鶏舎内の空気を鶏舎外へ、気流が下方から上方に流れるようにして排出できる。
【００５０】
この結果、この鶏舎を用いれば、空気中の常在菌、カビその他の微生物が、鶏舎内の飼育小屋内に飼育されている、烏骨鶏その他の家禽類や、家禽類の餌や水に落下し難い。
【００５１】
この結果、この鶏舎内に、請求項１〜９のいずれかに記載の飼育小屋を複数個収容した状態で、飼育小屋内に、烏骨鶏その他の家禽類を飼育した場合、これらの家禽類が病気にかかって死ぬような事態を低減できる。
【発明を実施するための最良の形態】
【００５２】
以下、本発明に係る飼育小屋及び鶏舎の好ましい例を図面を参照しながら、更に詳しく説明する。
【００５３】
図１は、本発明に係る飼育小屋を概略的に示す斜視図である。
【００５４】
この飼育小屋１は、網状の底面２と、網状の底面２の側面を囲う側面３、４、５、６と、側面３、４、５、６により形成される上方の開口部を覆う天面７とを備える。
【００５５】
尚、側面３、４、５、６の内面には、抗菌性・消臭性の水性塗料が塗布されている。
【００５６】
また、図１中、２４で示す部材は、水つぼを示しており、２５は、水つぼ２４を載置・収容する水つぼ収容ボックスを示している。
【００５７】
図２は、この飼育小屋１の概略的な正面図である。
【００５８】
この飼育小屋１では、側面３、４、５、６の中、前面（正面）３の下方位置には、卵を取り出すための扉８、８が開閉可能に設けられている。
【００５９】
尚、図２中、８ａで示す部材は、扉８の枠部材を示しており、８ｂで示す部材は、透明な材料（例えば、樹脂）で製された窓部を示しており、また、８ｃで示す部材は、扉８を開閉するための蝶番手段を示している。
【００６０】
また、図２中、３ａで示す部材は、側面（前面又は正面）３を構成する枠部材を示しており、３ｂ及び３ｃで示す部材は、透明な材料（例えば、樹脂）で製された窓部を示している。
【００６１】
また、この飼育小屋１では、窓部３ｃ、３ｃの各々は、上下方向にスライド可能にされている。
【００６２】
図３は、この飼育小屋１の概略的な右側面図である。
【００６３】
この飼育小屋１では、側面（右側面）４は、網状にされている。
【００６４】
より具体的に説明すると、側面４は、枠部材４ａと、枠部材４ａに取り付けられた網状物（この例では、金網）４ｂとを備える。
【００６５】
この飼育小屋１では、側面４は、その下方位置に、換気口（空気調整孔）９を備える。
【００６６】
即ち、この飼育小屋１は、網状の底面２と、その下方に設けられた、糞受け板（後述する、糞受け板１７）とにより形成される空間に、換気口（空気調整孔）９を備える。
【００６７】
図４は、側面４の下方位置に設けられている、換気口（空気調整孔）９の部分を拡大して概略的に示す図であり、図４（ａ）は、換気口（空気調整孔）９が開いている状態を概略的に示す斜視図であり、また、図４（ｂ）は、換気口（空気調整孔）９が閉じている状態を概略的に示す斜視図である。
【００６８】
空気調整孔９は、側面４（より特定的には、枠部材４ａ）の下方位置の、網状の底面２が設けられている位置よりも、下方位置に設けられている。
【００６９】
この換気口（空気調整孔）９は、側面４（より特定的には、枠部材４ａ）に設けられた開口孔ｈ４・・・と、開口孔ｈ４・・・の開口量調整用の引戸１０と、側面４（より特定的には、枠部材４ａ）の開口孔ｈ４・・・が設けられている場所の上下位置に設けられた、引戸枠（又はレール手段）１１ａ、１１ｂとを備える。
【００７０】
この飼育小屋１では、引戸枠（又はレール手段）１１ａ、１１ｂには、引戸１０が、摺動可能に取り付けられている。
【００７１】
この引戸１０には、開口孔ｈ１０・・・が、側面４に設けられている開口孔ｈ４・・・に整列するように設けられている。
【００７２】
即ち、この飼育小屋１では、引戸１０を、引戸枠（又はレール手段）１１ａ、１１ｂに対して摺動させることで、引戸１０を、引戸１０に設けられている開口孔ｈ１０・・・が、側面４に設けられている開口孔ｈ４・・・に整列する位置に位置すれば、図４（ａ）に示すように、換気口（空気調整孔）９を全開にした状態にし、引戸１０を、引戸枠（又はレール手段）１１ａ、１１ｂに対して摺動させることで、引戸１０を、引戸１０に設けられている開口孔ｈ１０・・・が、側面４に設けられている開口孔ｈ４・・・に完全に整列させない位置に位置すれば、図４（ｂ）に示すように、換気口（空気調整孔）９を全閉にした状態にし、また、引戸１０を、引戸１０に設けられている開口孔ｈ１０・・・が、側面４に設けられている開口孔ｈ４・・・に一部が整列する位置に位置すれば（図４（ａ）と図４（ｂ）との間の状態）、換気口（空気調整孔）９を所定の開口量にすることができるようになっている。
【００７３】
尚、ここでは、側面（右側面）４について中心に説明したが、この飼育小屋１では、側面（左側面）６も、側面４と同様の構成を備えている。
【００７４】
即ち、側面６は、枠部材６ａと、枠部材６ａに取り付けられた網状物（この例では、金網）６ｂとを備える。
【００７５】
また、側面６の下方位置の、網状の底面２が設けられている位置よりも、下方位置には、側面４に設けられている、換気口（空気調整孔）９と同様のものが設けられている。
【００７６】
また、この飼育小屋１では、側面４及び側面６の各々には、その上方及び下方に、引戸を摺動可能に取り付けるための、引戸枠（又はレール手段）（１２ａ、１２ｂ）、（１２ａ、１２ｂ）が設けられており、引戸枠（又はレール手段）（１２ａ、１２ｂ）、（１２ａ、１２ｂ）には、雨よけや風よけのための引戸１３・・・が、摺動可能に取り付けられている。
【００７７】
引戸１３は、枠部材１３ａと、枠部材１３ａに取り付けられた窓部１３ｂとを備える。
【００７８】
この飼育小屋１では、窓部１３ｂとして、透光性材料（半透明又は透明な材料（例えば、樹脂））で製されたものを用いている。
【００７９】
この飼育小屋１では、側面（背面）５として、透光性材料（半透明又は透明な材料（例えば、樹脂））で製されたものを用いている。
【００８０】
尚、側面（背面）５は、トタン板（波板）で構成されていてもよい。
【００８１】
この飼育小屋１では、側面４、６に、透光性材料（半透明又は透明な材料（例えば、樹脂）で製された板材（引戸）１３・・・を取り付けることができるようにしている。
【００８２】
側面４、６を網状にした場合、そのような飼育小屋１は、通気性に優れたものになる。
【００８３】
しかしながら、強風時には、飼育小屋１内に、強風が入ると、烏骨鶏その他の家禽類に大きなストレスを与えることになる。
【００８４】
また、インフルエンザやＳＡＲＳ等が蔓延している際には、野鳥からそのような病気の感染を防ぐ必要がある。
【００８５】
このような場合、この飼育小屋１では、側面４、６に、透光性材料（半透明又は透明な材料（例えば、樹脂））で製された板材（引戸）１３、１３を取り付けることで、風が飼育小屋１内に入るのを遮ることで、飼育小屋１内の烏骨鶏その他の家禽類に、大きなストレスが加わることを防いだり、また、インフルエンザウイルスやＳＡＲＳウイルス等が、飼育小屋１内に入るのを遮ることで、飼育小屋１内の烏骨鶏その他の家禽類が、インフルエンザウイルスやＳＡＲＳウイルス等に感染するのを防いだりすることができる。
【００８６】
この結果、この飼育小屋１を使用して、烏骨鶏その他の家禽類を飼育した場合、これらの家禽類がストレス寒さや病気やストレスにかかって死ぬような事態を低減できる。
【００８７】
のみならず、この飼育小屋１では、側面に取り付ける板材を透光性（半透明又は透明な材料（例えば、樹脂））で製された板材（引戸）１３・・・にしているので、側面４、６に、板材（引戸）１３・・・を取り付けた後においても、飼育小屋１内には、外光が入るので、飼育小屋１内を明るくすることができる。
【００８８】
これにより、側面４、６に、板材（引戸）１３・・・を取り付けた後においても、飼育小屋１内を明るく保つことができるので、飼育小屋１内の烏骨鶏その他の家禽類が、卵を産まなくなるようなことが生じ難い。
【００８９】
図５は、この飼育小屋１の概略的な平面図である。
【００９０】
この飼育小屋１では、天面７として、透光性材料（半透明又は透明な材料（例えば、樹脂））で製されたものを用いている。
【００９１】
且つ、天面７には、開口量の調節が可能な、換気口１４・・・が設けられている。
【００９２】
次に、この換気口１４・・・の開口量の調節機構について説明する。
【００９３】
図６は、換気口１４・・・の開口量の調節機構の部分を中心に拡大して概略的に示す図であり、図６（ａ）は、換気口１４・・・が全開している状態を概略的に示す斜視図であり、また、図６（ｂ）は、換気口１４・・・が閉じている状態を概略的に示す斜視図である。
【００９４】
この換気口１４・・・は、天面７に設けられた開口孔ｈ７・・・と、開口孔ｈ７・・・の開口量調整用の開口量調整板１５とを備える。
【００９５】
この飼育小屋１では、開口量調整板１５は、天面７に対し、摺動可能に取り付けられている。
【００９６】
この開口量調整板１５には、開口孔ｈ１５・・・が、天面７に設けられている開口孔ｈ７・・・に整列するように設けられている。
【００９７】
即ち、この飼育小屋１では、開口量調整板１５を、天面７に対して摺動させることで、開口量調整板１５を、開口量調整板１５に設けられている開口孔ｈ１５・・・が、天面７に設けられている開口孔ｈ７・・・に整列する位置に位置すれば、図６（ａ）に示すように、換気口１４・・・を全開にした状態にし、開口量調整板１５を、天面７に対して摺動させることで、開口量調整板１５を、開口量調整板１５に設けられている開口孔ｈ１５・・・が、天面７に設けられている開口孔ｈ７・・・に完全に整列させない位置に位置すれば、図６（ｂ）に示すように、換気口１４・・・を全閉にした状態にし、また、開口量調整板１５を、開口量調整板１５に設けられている開口孔ｈ１５・・・が、天面７に設けられている開口孔ｈ７・・・に一部が整列する位置に位置すれば（図６（ａ）と図６（ｂ）との間の状態）、換気口１４・・・を所定の開口量にすることができるようになっている。
【００９８】
尚、この飼育小屋１では、天面７として、波板を使用し、開口量調整板１５として、天面７の波板と同じ又は概ね同じ周期であって且つ天面７の波板と同じ又は概ね振幅の波板を使用し、天面７に対し、開口量調整板１５を、天面７の山に、開口量調整板１５の山が、且つ、天面７の谷に、開口量調整板１５の谷が整列するように、重ね合わせ、開口量調整板１５を、天面７に対し、天面７の周期方向に直交する方向に、摺動させることで、換気口１４・・・の開口量の調節をするようにしている。
【００９９】
また、図５中、ｈ２６は、天面７に形成した、ヒータ手段（図９中に示す、ヒータ手段（例えば、電熱ヒータ）１８）の電源コードを挿通する孔を示しており、また、ｈ２７は、開口量調整板１５に形成した、ヒータ手段（図９中に示す、ヒータ手段（例えば、電熱ヒータ）１８）の電源コードを挿通する孔を示している。
【０１００】
そして、ヒータ手段（図９中に示す、ヒータ手段（例えば、電熱ヒータ）１８）の電源コードを挿通する孔ｈ２６、ｈ２７の各々には、プラグ及び／又はコンセントを挿通し易いように、プラグ及び／又はコンセント用の大きな孔部が設けられている。
【０１０１】
図７は、飼育小屋１の気流の流れを模式的に説明する斜視図である。
【０１０２】
この飼育小屋１では、天面７には、開口量の調節が可能な、換気口１４・・・を設け、飼育小屋１内を流れる気流を下方から上方に流れやすい構成にしている。
【０１０３】
この結果、この飼育小屋１では、空気中の常在菌、カビその他の微生物が、飼育小屋１内に飼育されている、烏骨鶏その他の家禽類（図示せず。）や、家禽類の餌や水に落下し難い。
【０１０４】
この結果、この飼育小屋１を使用して、烏骨鶏その他の家禽類（図示せず。）を飼育した場合、これらの家禽類が病気にかかって死ぬような事態を低減できる。
【０１０５】
更に、この飼育小屋１では、側面４及び側面６の各々の下方位置に、空気調整孔９を設けているので、図７中に示す矢印Ａｒに示すように、側面４及び側面６の各々の下方位置に、空気調整孔９と、天面７に設けられている開口量の調節が可能な換気口１４・・・との協働により、飼育小屋１内を流れる気流を、尚一層、下方から上方に流れやすい構成にしている。
【０１０６】
この結果、この飼育小屋１では、空気中の常在菌、カビその他の微生物が、更に、飼育小屋１内に飼育されている、烏骨鶏その他の家禽類（図示せず。）や、家禽類の餌や水に落下し難くなっている。
【０１０７】
この結果、この飼育小屋１を使用して、烏骨鶏その他の家禽類（図示せず。）を飼育した場合、これらの家禽類が病気にかかって死ぬような事態を更に低減できる。
【０１０８】
また、この飼育小屋１では、底面２を網状にしているので、この飼育小屋１を使用して、烏骨鶏その他の家禽類を飼育すれば、烏骨鶏その他の家禽類の糞や羽根等は、網状の底面２の下方に落下する。
【０１０９】
この結果、この飼育小屋１を使用して、烏骨鶏その他の家禽類を飼育すれば、飼育小屋１内が清潔に保たれるので、烏骨鶏その他の家禽類（図示せず。）を飼育した場合、これらの家禽類が病気にかかって死ぬような事態を低減できる。
【０１１０】
次に、この飼育小屋１の網状の底面２について、説明する。
【０１１１】
図８は、図５中、ＶＩＩＩ−ＶＩＩＩに従う概略的な断面図である。
【０１１２】
尚、図８では、側面６の構成については、図示するのを省略する。
【０１１３】
また、この飼育小屋１では、網状の底面２は、側面（背面）５から側面（前面）３に向かって下方に傾斜するように設けられている。
【０１１４】
この飼育小屋１では、網状の底面２は、側面（背面）５から側面（前面）３に向かって下方に傾斜するように設けているので、烏骨鶏その他の家禽類が卵を産み落とした場合、産み落とされた卵は、網状の底面２の傾斜により、飼育小屋１の側面（前面）３側に集まってくる（図８中、想像線で示す卵ｅを参照）。
【０１１５】
そして、この飼育小屋１では、側面（前面）３には、扉８が開閉可能に設けられているので、扉を開いて、容易に、卵ｅを取り出すことができる。
【０１１６】
また、図１及び図８中、１６で示す部材は、餌入れ又は水入れを設置する台を示している。
【０１１７】
この台１６は、その下方に、その前方から後方にかけて貫通する、貫通孔を有している。
【０１１８】
この飼育小屋１では、側面（前面）３の内側に、下方に、その前方から後方にかけて貫通する、貫通孔ｈ１６を有している台１６を設置できるようにしている。
【０１１９】
従って、この飼育小屋１の、側面（前面）３の内側に、そのような餌入れ又は水つぼを設置する台１６を設ければ、網状の底面２の傾斜に従って、側面（前面）３に設けられている、卵を取り出すための扉８の所に集まってきた卵ｅが、台１６の下方に設けられている、貫通孔ｈ１６内に収容されるので、烏骨鶏その他の家禽類が産み落とした卵ｅが、烏骨鶏その他の家禽類によって食べられてしまう、ということを防ぐことができる。
【０１２０】
即ち、この飼育小屋１を使用して、烏骨鶏その他の家禽類を飼育すると、烏骨鶏その他の家禽類によって食べられてしまう、ということが防がれた分、卵ｅを多く得ることができる。
【０１２１】
また、この飼育小屋１では、網状の底面２を、側面（前面）３側から取り出しできるようにしている。
【０１２２】
より具体的に説明すると、この飼育小屋１では、網状の底面２は、２分割されており、２分割された、網状の底面２の各々は、側面（前面）３に設けられている扉８、８を開くことにより、側面（前面）３側から飼育小屋１の外に、取り出しできるようにしているので、この飼育小屋１を使用して、烏骨鶏その他の家禽類を飼育した場合に、網状の底面２が、羽根、羽毛及び糞等で汚れた場合、側面（前面）３側から網状の底面２を、飼育小屋１から取り出して、洗うことができる。
【０１２３】
また、図８中、１７で示す部材は、糞受け板を示している。
【０１２４】
この飼育小屋１では、糞受け板１７は、網状の底面の下方に設けられており、且つ、側面（前面）３側から取り出しできるようにされている。
【０１２５】
より具体的に説明すると、この飼育小屋１では、糞受け板１７は、２分割されており、２分割された、糞受け板１７の各々は、側面（前面）３に設けられている扉８、８を開くことにより、側面（前面）３側から飼育小屋１の外に、取り出しできるようにしているので、この飼育小屋１を使用して、烏骨鶏その他の家禽類を飼育した場合に、糞受け板１７が、羽根、羽毛及び糞等で汚れた場合、側面（前面）３側から糞受け板１７を、飼育小屋１から取り出して、洗うことができる。
【０１２６】
尚、１９で示す部材は、飼育小屋１の底板を示している。
【０１２７】
また、２０で示す部分は、水抜き孔を示している。この水抜き孔２０は、底面１９の4隅に一つづつ、合計４個設けられている。
【０１２８】
水抜き孔２０の直径は、４ｍｍ以上８ｍｍ以下、通常は、６ｍｍ程度にするのが好ましい。
【０１２９】
次に、この飼育小屋１に設けられるヒータ手段について、説明する。
【０１３０】
図９は、この飼育小屋１に設けられるヒータ手段の使用方法を模式的に説明する図であり、図９（ａ）は、ヒータ手段を不使用の状態にしている場合を説明する断面図であり、また、図９（ｂ）は、ヒータ手段を使用状態にしている場合を説明する断面図である。
【０１３１】
尚、図９（ａ）及び図９（ｂ）の各々では、側面６の構成については、図示するのを省略する。
【０１３２】
この飼育小屋１は、網状の底面２、側面３、４、５、６及び前記天面７により形成される空間内にヒータ手段（例えば、電熱ヒータ）１８を備える。
【０１３３】
この例では、ヒータ手段（例えば、電熱ヒータ）１８として、より特定的に説明すると、セラミックヒータと、セラミックヒータを保護する保護部材（針金）とを備えるものを使用している。
【０１３４】
また、図９中、２３で示す部材は、飼育小屋１内の温度を測る温度計を示している。
【０１３５】
この飼育小屋１では、ヒータ手段（例えば、電熱ヒータ）１８を使用しない際には、図９（ａ）に示すように、ヒータ手段（例えば、電熱ヒータ）１８を天面７側に移動し、また、ヒータ手段（例えば、電熱ヒータ）１８を使用する際には、図９（ｂ）に示すように、ヒータ手段（例えば、電熱ヒータ）１８を網状の底面２上に載置するようにして使用する。
【０１３６】
この飼育小屋１には、網状の底面２、側面３、４、５、６及び天面７により形成される空間内に、ヒータ手段（例えば、電熱ヒータ）１８を設けているので、気温が低い日には、ヒータ手段（例えば、電熱ヒータ）１８を使用することで、烏骨鶏その他の家禽類を寒さから守ることができる。
【０１３７】
のみならず、この飼育小屋１は、ヒータ手段（例えば、電熱ヒータ）１８を使用する際には、ヒータ手段（例えば、電熱ヒータ）１８を網状の底面２上に載置するようにしているので、ヒータ手段（例えば、電熱ヒータ）１８を使用している間、飼育小屋内の気流を下方から上方に流れやすい構成になっている。この結果、この飼育小屋１には、空気中の常在菌、カビその他の微生物が、飼育小屋１内に飼育されている、烏骨鶏その他の家禽類や、家禽類の餌や水に落下し難い、という利点がある。
【０１３８】
また、この飼育小屋１には、ヒータ手段（例えば、電熱ヒータ）１８を使用しない際には、ヒータ手段（例えば、電熱ヒータ）１８を天面７側に移動させることで、飼育小屋１内の烏骨鶏その他の家禽類の生活空間を広くでき、且つ、ヒータ手段（例えば、電熱ヒータ）１８が、羽根、羽毛及び糞等で汚れ難い、という利点がある。
【０１３９】
この結果、この飼育小屋１を使用して、烏骨鶏その他の家禽類を飼育した場合、これらの家禽類が寒さや病気やストレスによって死ぬような事態を低減できる。
【０１４０】
また、図１０は、飼育小屋１を屋外に設置する場合を概略的に説明する斜視図である。
【０１４１】
この飼育小屋１には、屋外屋根（ユニット化されている。）２１が着脱自在に取り付けられるようにされており、この飼育小屋１を屋外に設置する場合は、飼育小屋１の天面７の上部に屋外屋根（ユニット化されている。）２１を、必要により、取り付けて使用する。
【０１４２】
この飼育小屋１では、天面７の上部に、屋外屋根（ユニット化されている。）２１を着脱自在に取り付けられるようにしているので、この飼育小屋１は、鶏舎内だけではなく、天面７の上部に、飼育小屋内への雨の侵入をふせぐために、屋外屋根（ユニット化されている。）２１を取り付けることで、必要により、この飼育小屋１を野外に設置することができる。
【０１４３】
尚、屋外屋根２１の屋根面（傾斜面）２１ａ、２１ａは、半透明又は透明な材料（例えば、半透明又は透明な樹脂）で製されており、飼育小屋１は、飼育小屋１に屋外屋根２１を取り付けた後においても、飼育小屋１内が、暗くならないようにしている。
【０１４４】
また、図１０中、２２で示す部材は、飼育小屋１を屋外に設置する際に、いたち等の動物が、飼育小屋１内に飼育されている、烏骨鶏その他の家禽類に気が付かないようにさせたり、飼育小屋１内に侵入するのを防ぐための高さ調整部材（スペーサ）を示している。
【０１４５】
また、図１１は、飼育小屋１・・・を収容する鶏舎の要部を概略的に示す斜視図である。
【０１４６】
この鶏舎３１は、複数個の飼育小屋１・・・が収容できるようになっている。
【０１４７】
また、飼育小屋１・・・の各々の通気性を考慮した場合は、飼育小屋１・・・の各々の間隔は、３０ｃｍ以上５０ｃｍ以下、より好ましくは、４０ｃｍ程度にすることが好ましい。
【０１４８】
また、この鶏舎３１は、その上方位置に、鶏舎３１内の空気を大気中へ排出する換気手段（この例では、換気扇）３２を備える。
【０１４９】
この鶏舎３１では、鶏舎３１の上方位置に、鶏舎３１内の空気を大気中へ排出する換気手段（この例では、換気扇）３２を備えているので、鶏舎３１内に、複数個の飼育小屋１・・・を収容した後において、換気手段（この例では、換気扇）３２を駆動することで、鶏舎３１内の空気を鶏舎３１外へ、気流が下方から上方に流れるようにして排出できる。
【０１５０】
この結果、この鶏舎３１を用いれば、空気中の常在菌、カビその他の微生物が、鶏舎３１内の飼育小屋１・・・の各々内に飼育されている、烏骨鶏その他の家禽類や、家禽類の餌や水に落下し難い。
【０１５１】
この結果、この鶏舎３１内に、複数個の飼育小屋１・・・を収容した状態で、飼育小屋１・・・の各々内に、烏骨鶏その他の家禽類を飼育した場合、これらの家禽類が病気にかかって死ぬような事態を低減できる。
【０１５２】
尚、飼育小屋１内に、烏骨鶏を飼う場合は、雄１羽に対し、雌を２羽〜４羽を、且つ、これらの烏骨鶏は、同齢のものを飼うことが好ましい。
【０１５３】
また、飼育小屋１内に、烏骨鶏を飼う場合は、雄１羽に対し、雌を２羽〜４羽を飼育する場合にあっては、飼育小屋１の大きさは、横長を１００ｃｍ以上１２０ｃｍ以下、幅長を８０ｃｍ以上１００ｃｍ以下、及び、高さを７０ｃｍ以上９０ｃｍ以下程度にすることが好ましい。
【０１５４】
飼育小屋１をこのようなサイズにすれば、飼育小屋１内に烏骨鶏を飼育した状態で、飼育小屋１を、例えば、軽トラックの荷台に積み込んで、飼育小屋１ごと、烏骨鶏を、顧客に、搬送・販売することが容易に行える。
【産業上の利用可能性】
【０１５５】
本発明に係る飼育小屋では、特に、気流が下方から上方に流れやすい構成にすることで、この飼育小屋内に、烏骨鶏のように飼育が困難な家禽類を飼育した場合に、そのような家禽類が病気にかかり難い。
【０１５６】
従って、本発明に係る飼育小屋は、烏骨鶏のように飼育が困難な家禽類を飼育に適しているので、産業上の利用可能性が高い。
【図面の簡単な説明】
【０１５７】
【図１】本発明に係る飼育小屋を概略的に示す斜視図である。
【図２】図１に示す飼育小屋の概略的な正面図である。
【図３】図１に示す飼育小屋の概略的な右側面図である。
【図４】図１に示す飼育小屋の側面（右側面）の下方位置に設けられている、換気口（空気調整孔）の部分を拡大して概略的に示す図であり、図４（ａ）は、換気口（空気調整孔）が開いている状態を概略的に示す斜視図であり、また、図４（ｂ）は、換気口（空気調整孔）が閉じている状態を概略的に示す斜視図である。
【図５】図１に示す飼育小屋の概略的な平面図である。
【図６】図１に示す飼育小屋の天面に設けられている換気口の開口量の調節機構の部分を中心に拡大して概略的に示す図であり、図６（ａ）は、換気口が全開している状態を概略的に示す斜視図であり、また、図６（ｂ）は、換気口が閉じている状態を概略的に示す斜視図である。
【図７】図１に示す飼育小屋の気流の流れを模式的に説明する斜視図である。
【図８】図５中、ＶＩＩＩ−ＶＩＩＩに従う概略的な断面図である。
【図９】図１に示す飼育小屋に設けられるヒータ手段の使用方法を模式的に説明する図であり、図９（ａ）は、ヒータ手段を不使用の状態にしている場合を説明する断面図であり、また、図９（ｂ）は、ヒータ手段を使用状態にしている場合を説明する断面図である。
【図１０】図１に示す飼育小屋１を屋外に設置する場合を概略的に説明する斜視図である。
【図１１】図１に示す飼育小屋を収容する鶏舎の要部を概略的に示す斜視図である。
【符号の説明】
【０１５８】
１  飼育小屋
２  網状の底面
３  側面（前面）
４  側面（右側面）
５  側面（背面）
６  側面（左側面）
７  天面
８  扉
９  換気口（（空気調整孔）
１３  板材（引戸）
１４  換気口
１７  糞受け板
１８  ヒータ手段
３１  鶏舎
３２  換気手段
【図１】
2006325508.tif 000003
【図２】
2006325508.tif 000004
【図３】
2006325508.tif 000005
【図４】
2006325508.tif 000006
【図５】
2006325508.tif 000007
【図６】
2006325508.tif 000008
【図７】
2006325508.tif 000009
【図８】
2006325508.tif 000010
【図９】
2006325508.tif 000011
【図１０】
2006325508.tif 000012
【図１１】
2006325508.tif 000013